【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
画像から被写体像を検出する被写体検出手段と、
複数の構図の中から特定の構図を自動で選択する構図選択手段と、
前記画像における前記被写体像の位置を取得する第１の処理と、前記画像の画角に対して水平方向または垂直方向にて前記被写体像の位置が占める比率を算出する第２の処理とを行う算出手段と、
前記被写体検出手段により複数の被写体像が検出された場合、前記複数の被写体像に対して、前記算出手段が前記第２の処理で算出した被写体像ごとの前記比率を判定して、前記画像の画角に対して水平方向または垂直方向にて最も周辺に位置する被写体像の位置が占める比率を決定する判定手段と、
前記構図選択手段により選択された構図と、前記判定手段により決定された比率と、前記被写体検出手段により検出された前記複数の被写体像から選択される主被写体像のサイズから、ズーム倍率の制御に用いる被写体像の基準サイズを設定する設定手段と、
前記設定手段により設定された基準サイズに基づいて、前記被写体検出手段により検出される被写体像のサイズの変化に応じて前記ズーム倍率の制御を行う制御手段と、を有することを特徴とするズーム制御装置。
【請求項２】
前記算出手段は、前記第１の処理にて前記被写体像の中心位置とサイズ、および、前記構図選択手段により選択された構図から、前記被写体像の位置を取得することを特徴とする請求項１に記載のズーム制御装置。
【請求項３】
前記算出手段は、前記第２の処理にて前記画像の画角に対して水平方向または垂直方向において前記複数の被写体像の位置がそれぞれ占める比率を算出し、
前記判定手段は、前記算出手段により算出された複数の比率から最大の比率を、前記画像の画角に対して最も周辺に位置する被写体像の位置が占める比率として決定することを特徴とする請求項１または２に記載のズーム制御装置。
【請求項４】
前記算出手段は、前記第２の処理にて前記画像の画角に対して水平方向および垂直方向において前記被写体像の位置が占める比率を算出し、
前記判定手段は、前記画像の画角に対して水平方向において前記被写体像の位置が占める比率と、前記画像の画角に対して垂直方向において前記被写体像の位置が占める比率とを比較して、大きい方の比率を決定することを特徴とする請求項１または２に記載のズーム制御装置。
【請求項５】
前記設定手段は、前記構図選択手段により選択された構図が変更された場合、前記基準サイズを変更することを特徴とする請求項１から４のいずれか１項に記載のズーム制御装置。
【請求項６】
前記設定手段は、前記被写体検出手段により検出される被写体像の数が増加した場合、前記基準サイズを変更することを特徴とする請求項１から５のいずれか１項に記載のズーム制御装置。
【請求項７】
前記設定手段は、前記被写体検出手段により検出される被写体の数が減少した状態が設定された時間以上に継続した場合、前記基準サイズを変更することを特徴とする請求項１から６のいずれか１項に記載のズーム制御装置。
【請求項８】
前記設定手段は、前記被写体検出手段により検出される被写体像の中心位置が閾値より大きく移動した場合、前記基準サイズを変更することを特徴とする請求項１から７のいずれか１項に記載のズーム制御装置。
【請求項９】
前記画角は、前記判定手段により決定された比率が算出された方向と、前記被写体検出手段により検出された被写体像の数から前記制御手段により決定されることを特徴とする請求項１から８のいずれか１項に記載のズーム制御装置。
【請求項１０】
請求項１から９のいずれか１項に記載のズーム制御装置と、
被写体像を光電変換して画像を生成する撮像手段と、
レンズの駆動または画像処理によりズーム倍率を変更するズーム手段を備え、
前記制御手段は前記ズーム手段を制御し、前記設定手段により設定された前記基準サイズに基づいて、前記被写体検出手段により検出される被写体像のサイズの変化に応じてズーム倍率を制御することを特徴とする撮像装置。
【請求項１１】
アスペクト比が異なる複数の画像を記録するモードを有し、
前記算出手段は、前記比率を算出する際に、前記複数の画像のうち水平方向および垂直方向ごとに画像のサイズが最も小さいサイズを用いて前記比率を算出することを特徴とする請求項１０に記載の撮像装置。
【請求項１２】
前記算出手段は、前記第１の処理において、前記画像の中心を基準とした前記被写体像の位置を取得することを特徴とする請求項１から１１のいずれか１項に記載の撮像装置。
【請求項１３】
ズーム制御装置にて実行される制御方法であって、
画像から検出された被写体像の検出情報を取得する取得ステップと、
複数の構図の中から特定の構図を自動で選択する構図選択ステップと、
前記画像における前記被写体像の位置を取得する第１の処理を行うステップと、
前記画像の画角に対して水平方向または垂直方向にて前記被写体像の位置が占める比率を算出する第２の処理を行うステップと、
前記取得ステップにより取得された検出情報において複数の被写体像が検出された場合、前記複数の被写体像に対して、前記第２の処理で算出された被写体像ごとの前記比率を判定し、前記画像の画角に対して水平方向または垂直方向にて最も周辺に位置する被写体像の位置が占める比率を決定する判定ステップと、
前記構図選択ステップにより選択された構図と、前記判定ステップにより決定された前記比率と、前記複数の被写体像から選択される主被写体像のサイズから、ズーム倍率の制御に用いる被写体像の基準サイズを設定する設定ステップと、
前記設定ステップにより設定された基準サイズに基づいて、前記取得ステップにより取得される検出情報が示す被写体像のサイズの変化に応じてズーム倍率を制御する制御ステップと、を有することを特徴とするズーム制御装置の制御方法。
【請求項１４】
請求項１３に記載したズーム制御装置の制御方法の各ステップをコンピュータに実行させることを特徴とするズーム制御装置の制御プログラム。
【手続補正２】
【補正対象書類名】明細書
【補正対象項目名】発明の名称
【補正方法】変更
【補正の内容】
【発明の名称】ズーム制御装置、撮像装置、ズーム制御装置の制御方法、及びズーム制御装置の制御プログラム
【手続補正３】
【補正対象書類名】明細書
【補正対象項目名】０００７
【補正方法】変更
【補正の内容】
【０００７】
本発明に係る装置は、画像から被写体像を検出する被写体検出手段と、複数の構図の中から特定の構図を自動で選択する構図選択手段と、前記画像における前記被写体像の位置を取得する第１の処理と、前記画像の画角に対して水平方向または垂直方向にて前記被写体像の位置が占める比率を算出する第２の処理とを行う算出手段と、前記被写体検出手段により複数の被写体像が検出された場合、前記複数の被写体像に対して、前記算出手段が前記第２の処理で算出した被写体像ごとの前記比率を判定して、前記画像の画角に対して水平方向または垂直方向にて最も周辺に位置する被写体像の位置が占める比率を決定する判定手段と、前記構図選択手段により選択された構図と、前記判定手段により決定された比率と、前記被写体検出手段により検出された前記複数の被写体像から選択される主被写体像のサイズから、ズーム倍率の制御に用いる被写体像の基準サイズを設定する設定手段と、前記設定手段により設定された基準サイズに基づいて、前記被写体検出手段により検出される被写体像のサイズの変化に応じて前記ズーム倍率の制御を行う制御手段と、を有する。